(57)【要約】【課題】所望の方向の有意対象を容易に表示させることが可能な技術を提供することを目的とする。【解決手段】ナビゲーション装置１は、ジャンプ操作判断部１８と、表示制御部２０とを備える。表示制御部２０は、ジャンプ操作判断部１８によってジャンプ操作を受け付けたと判断された場合には、当該ジャンプ操作後またはそれと同時に実行されたスクロール操作のスクロール量に関わらず、当該スクロール操作が実行された時点に表示領域内に表示されていたジャンプ前領域から当該スクロール操作のスクロール方向を含む方向に位置し、かつ有意対象を含む有意対象包含領域を、表示装置１６に表示させる。【選択図】図１
2015034921.tif 000002
【特許請求の範囲】
【請求項１】
入力装置で受け付けたスクロール操作に応じたスクロール方向及びスクロール量に基づいて、表示装置の表示領域内に表示される地図上の領域をスクロール可能な表示制御装置であって、
前記地図を示す地図データを取得する地図データ取得部と、
前記スクロール操作前またはそれと同時に実行可能な第１操作を前記入力装置にて受け付けたか否かを判断する操作判断部と、
前記地図上の予め定められた地点または範囲のうち、ユーザにとって有意と推定される地点または範囲を、有意対象として抽出する有意対象抽出部と、
前記操作判断部によって前記第１操作を受け付けたと判断された場合には、当該第１操作後またはそれと同時に実行された前記スクロール操作の前記スクロール量に関わらず、当該スクロール操作が実行された時点に前記表示領域内に表示されていた前記地図上の領域である第１領域から当該スクロール操作の前記スクロール方向を含む方向に位置し、かつ前記有意対象を含む前記地図上の領域である第２領域を、前記表示装置に表示させる表示制御部と
を備える、表示制御装置。
【請求項２】
請求項１に記載の表示制御装置であって、
前記表示制御部は、
前記スクロール操作の前記スクロール量に関わらず前記第１領域から前記第２領域までフレーム単位でスクロールする自動スクロールを行うことによって、前記第２領域を前記表示装置に表示させ、
前記自動スクロールにおける前記フレーム単位当たりの前記地図上の領域のスクロール間隔を算出するスクロール間隔算出部と、
前記地図データと、前記スクロール間隔算出部で算出された前記スクロール間隔とに基づいて、前記自動スクロールにおいて前記表示領域内に表示される前記地図上の領域を生成する表示情報生成部と
を備える、表示制御装置。
【請求項３】
請求項２に記載の表示制御装置であって、
前記表示制御部は、
前記自動スクロールの途中に、当該自動スクロールに関する情報を前記表示装置に表示させる、表示制御装置。
【請求項４】
請求項２または請求項３に記載の表示制御装置であって、
前記表示制御部は、
前記スクロール間隔算出部で算出された前記スクロール間隔に基づいて、前記自動スクロールの途中において前記表示領域内に表示される前記地図上の領域の縮尺を変更する、表示制御装置。
【請求項５】
請求項１乃至請求項４のいずれかに記載の表示制御装置であって、
前記表示制御部は、
前記表示領域内に前記第２領域を表示させる場合に、当該第２領域に含まれる前記有意対象の名称を前記表示装置に表示させる、表示制御装置。
【請求項６】
請求項１乃至請求項５のいずれかに記載の表示制御装置であって、
前記表示制御部は、
前記表示領域内に前記第２領域を表示させる場合に、当該第２領域に含まれる前記有意対象を識別可能に前記表示装置に表示させる、表示制御装置。
【請求項７】
請求項１乃至請求項６のいずれかに記載の表示制御装置であって、
前記表示制御部は、
前記表示領域内に表示されている前記地図上の領域に含まれない前記有意対象の中から、当該地図上の領域と当該有意対象との間の距離に基づいて、予め定められた基準を満たす前記有意対象を選択し、当該選択した有意対象への方向及び当該選択した有意対象の名称を前記表示装置に表示させる、表示制御装置。
【請求項８】
請求項１乃至請求項７のいずれかに記載の表示制御装置であって、
前記地図上の予め定められた地点または範囲における、予め定められた動作に関する履歴データを取得する履歴データ取得部と、前記地図上の予め定められた地点または範囲であるランドマークに関するランドマークデータを取得するランドマークデータ取得部と、前記地図上の予め定められた地点または範囲である特徴地物に関する特徴地物データを取得する特徴地物データ取得部との少なくともいずれか１つをさらに備え、
前記有意対象抽出部は、
前記少なくともいずれか１つにて取得されたデータの前記予め定められた地点または範囲のうち、予め定められた条件を満たす地点または範囲を、前記有意対象として抽出する、表示制御装置。
【請求項９】
請求項８に記載の表示制御装置であって、
前記操作判断部は、
前記スクロール操作前またはそれと同時に実行可能な第２操作を前記入力装置にて受け付けたか否かを判断し、
前記有意対象抽出部は、
前記操作判断部によって前記第２操作を受け付けたと判断された場合に、前記第２操作に基づいて、前記予め定められた条件を変更する、表示制御装置。
【請求項１０】
請求項１乃至請求項８のいずれかに記載の表示制御装置であって、
前記操作判断部は、
前記スクロール操作前またはそれと同時に実行可能な第２操作を前記入力装置にて受け付けたか否かを判断し、
前記表示制御部は、
前記第２領域が複数存在し、かつ、前記操作判断部によって前記第２操作を受け付けたと判断された場合に、前記第２操作に基づいて、前記表示領域内に表示する前記第２領域を別の前記第２領域に変更する、表示制御装置。
【請求項１１】
請求項１乃至請求項１０のいずれかに記載の表示制御装置であって、
ユーザによって登録された地点または範囲を示す登録データを取得する登録データ取得部
をさらに備え、
前記有意対象抽出部は、
前記登録データの前記地点または範囲を前記有意対象として抽出する、表示制御装置。
【請求項１２】
請求項１乃至請求項７のいずれかに記載の表示制御装置であって、
前記地図上の予め定められた地点または範囲における、予め定められた動作が行われた回数と、予め定められた動作が行われた前記地点または範囲の種類との少なくともいずれか一方を含む履歴データを取得する履歴データ取得部
をさらに備え、
前記有意対象抽出部は、
前記少なくともいずれか一方に基づいて、前記履歴データの前記地点または範囲のそれぞれに対するユーザの有意度を算出し、前記有意度が予め定められた閾値以上である前記地点または範囲を、前記有意対象とすべき地点または範囲として抽出する、表示制御装置。
【請求項１３】
請求項１２に記載の表示制御装置であって、
前記有意対象抽出部は、
前記抽出した地点または範囲から前記有意度に応じた距離内に位置する前記地点または範囲も、前記有意対象とすべき地点または範囲として抽出する、表示制御装置。
【請求項１４】
請求項１２または請求項１３に記載の表示制御装置であって、
前記地図上の予め定められた地点または範囲であるランドマークに関するランドマークデータを取得するランドマークデータ取得部
をさらに備え、
前記有意対象抽出部は、
前記有意対象とすべき地点または範囲に対応する前記ランドマークを、前記有意対象として抽出する、表示制御装置。
【請求項１５】
請求項１２乃至請求項１４のいずれかに記載の表示制御装置であって、
前記地図上の予め定められた地点または範囲である特徴地物に関する特徴地物データを取得する特徴地物データ取得部
をさらに備え、
前記有意対象抽出部は、
前記有意対象とすべき地点または範囲に対応する前記特徴地物とを、前記有意対象として抽出する、表示制御装置。
【請求項１６】
入力装置で受け付けたスクロール操作に応じたスクロール方向及びスクロール量に基づいて、表示装置の表示領域内に表示される地図上の領域をスクロール可能な表示制御方法であって、
（ａ）前記スクロール操作前またはそれと同時に実行可能な第１操作を前記入力装置にて受け付けたか否かを判断する工程と、
（ｂ）前記地図上の予め定められた地点または範囲のうち、ユーザにとって有意と推定される地点または範囲を、有意対象として抽出する工程と、
（ｃ）前記工程（ａ）にて前記第１操作を受け付けたと判断された場合には、当該第１操作後またはそれと同時に実行された前記スクロール操作の前記スクロール量に関わらず、当該スクロール操作が実行された時点に前記表示領域内に表示されていた前記地図上の領域である第１領域から当該スクロール操作の前記スクロール方向を含む方向に位置し、かつ前記有意対象を含む前記地図上の領域である第２領域を、前記表示装置に表示させる工程と
を備える、表示制御方法。
【発明の詳細な説明】
【技術分野】
【０００１】
本発明は、入力装置で受け付けたスクロール操作に応じたスクロール方向及びスクロール量に基づいて、表示装置の表示領域内に表示される地図上の領域をスクロール可能な表示制御装置、及び、表示制御方法に関するものである。
【背景技術】
【０００２】
ナビゲーション装置などにおいて、ユーザからのスクロール操作に応じたスクロール方向及びスクロール量に基づいて、表示装置に表示される地図上の領域（以下「地図領域」）をスクロールする技術が知られている。このような地図領域のスクロール操作について、様々な技術が提案されている。例えば、特許文献１には、ユーザが道路などのラインを選択すると、その後にスクロール操作を行わなくても、当該ライン上の交差点のうち表示されていなかった交差点が表示されるまで地図領域を自動的にスクロールする技術が提案されている。
【先行技術文献】
【特許文献】
【０００３】
【特許文献１】特開２００４−３４１０２８号公報
【発明の概要】
【発明が解決しようとする課題】
【０００４】
特許文献１の技術においては、ラインの延在方向にある交差点について自動的にスクロールすることができるが、ラインの延在方向にない交差点まで自動的にスクロールするものではない。このため、ユーザは、所望の方向の交差点を表示するためには、ラインの延在方向を考えながらラインを選択しなければならず困難であった。さらに、ライン上の交差点がユーザにとって有意であるか否かに関わらず、交差点ごとにスクロールが停止する。このため、ユーザは、自身にとって有意な交差点が表示されるまでラインを選択しなければならず、手間がかかるものであった。
【０００５】
そこで、本発明は、上記のような問題点を鑑みてなされたものであり、所望の方向の有意対象を容易に表示させることが可能な技術を提供することを目的とする。
【課題を解決するための手段】
【０００６】
本発明に係る表示制御装置は、入力装置で受け付けたスクロール操作に応じたスクロール方向及びスクロール量に基づいて、表示装置の表示領域内に表示される地図上の領域をスクロール可能な表示制御装置である。表示制御装置は、地図を示す地図データを取得する地図データ取得部と、スクロール操作前またはそれと同時に実行可能な第１操作を入力装置にて受け付けたか否かを判断する操作判断部と、地図上の予め定められた地点または範囲のうち、ユーザにとって有意と推定される地点または範囲を、有意対象として抽出する有意対象抽出部とを備える。そして、表示制御装置は、操作判断部によって第１操作を受け付けたと判断された場合には、当該第１操作後またはそれと同時に実行されたスクロール操作のスクロール量に関わらず、当該スクロール操作が実行された時点に表示領域内に表示されていた地図上の領域である第１領域から当該スクロール操作のスクロール方向を含む方向に位置し、かつ有意対象を含む地図上の領域である第２領域を、表示装置に表示させる表示制御部を備える。
【発明の効果】
【０００７】
本発明によれば、第１操作を受け付けたと判断した場合には、スクロール量に関わらず、第１領域からスクロール方向を含む方向に位置する第２領域を、表示装置に表示させる。これにより、ユーザは、所望の方向の有意対象を容易に表示させることができる。
【図面の簡単な説明】
【０００８】
【図１】実施の形態１に係るナビゲーション装置の構成を示すブロック図である。
【図２】移動地点履歴データの一例を示す図である。
【図３】移動範囲履歴データの一例を示す図である。
【図４】ランドマークデータの一例を示す図である。
【図５】特徴地物データの一例を示す図である。
【図６】実施の形態１に係る有意対象抽出部の動作を示すフローチャートである。
【図７】実施の形態１に係る表示制御部の動作を示すフローチャートである。
【図８】実施の形態１に係るナビゲーション装置の動作を示す図である。
【図９】実施の形態１に係るナビゲーション装置の動作を示す図である。
【図１０】実施の形態１に係るナビゲーション装置の動作を示す図である。
【図１１】実施の形態１の変形例２に係るナビゲーション装置の動作を示す図である。
【図１２】実施の形態１の変形例２に係るナビゲーション装置の動作を示す図である。
【図１３】実施の形態２に係るナビゲーション装置の構成を示すブロック図である。
【図１４】実施の形態２に係るナビゲーション装置の動作を示す図である。
【図１５】実施の形態２に係るナビゲーション装置の動作を示す図である。
【図１６】実施の形態３に係るナビゲーション装置の構成を示すブロック図である。
【図１７】実施の形態３に係るナビゲーション装置の動作を示す図である。
【発明を実施するための形態】
【０００９】
＜実施の形態１＞
本発明の実施の形態１として、本発明に係る表示制御装置を、車載のナビゲーション装置（車両とともに移動するナビゲーション装置）に適用した場合を例にして説明する。図１は、当該ナビゲーション装置の構成の一例を示すブロック図である。以下、図１に示されるナビゲーション装置１が搭載された車両を「自車」と記載して説明する。
【００１０】
ナビゲーション装置１は、地図データ記憶部１１と、地点履歴データ記憶部１２と、範囲履歴データ記憶部１３と、ランドマーク・登録データ記憶部１４と、特徴地物データ記憶部１５と、表示装置１６と、入力装置１７と、ジャンプ操作判断部１８と、有意対象抽出部１９と、表示制御部２０とを備えて構成されている。
【００１１】
なお、図示しないが、ナビゲーション装置１は、地図データ記憶部１１、地点履歴データ記憶部１２、範囲履歴データ記憶部１３、ランドマーク・登録データ記憶部１４、特徴地物データ記憶部１５、表示装置１６及び入力装置１７を統括的に制御するＣＰＵ（Central Processing Unit）を備えている。そして、このＣＰＵがプログラムを実行することによって、ジャンプ操作判断部１８、有意対象抽出部１９及び表示制御部２０の機能が実現されている。ただし、これらの複数の機能は、一のＣＰＵによって実現されなくてもよく、例えば、一の機能が一のＣＰＵによって実現されてもよい。
【００１２】
地図データ記憶部１１は、例えばハードディスクドライブ（ＨＤＤ）、ＤＶＤ（Digital Versatile Disc）及びそのドライブ装置、ブルーレイディスク及びそのドライブ装置、または、半導体メモリなどの記憶装置から構成される。この地図データ記憶部１１（地図データ取得部）は、ナビゲーション装置１の外部から、地図を示す地図データを取得し、当該地図データを記憶している。なお、地図データには、交差点等のノードと、ノード間を接続する道路等のリンクとに関する情報が含まれてもよいし、河川形状などの地理データが含まれてもよい。以下の説明において、地図は、地図データそのものが示す地図、または、地図データが示す地図と対応関係を有する地図であるとする。
【００１３】
地点履歴データ記憶部１２（履歴データ取得部）は、地図データ記憶部１１と同様の記憶装置から構成されており、地点履歴データを記憶（取得）している。ここで、地点履歴データとは、地図上の予め定められた地点における、予め定められた動作に関する履歴データである。
【００１４】
図２には、この地点履歴データの一例として、地図上の予め定められた地点における、自車（予め定められた移動体）の移動に関する履歴データが示されている。つまり、図２には、上述の予め定められた動作に、自車の移動が適用された地点履歴データ（以下「移動地点履歴データ」と記す）が示されている。
【００１５】
図２に示される移動地点履歴データは、地図上の予め定められた地点（緯度及び経度）と、自車が当該地点を通過した回数（通過回数）とを含んでいる。ここでの予め定められた地点には、例えば、地図上の交差点、建造物、サービスエリア及びインターチェンジ等の地点が適用される。また、図２に示される例では、移動地点履歴データは通過回数を含んでいるが、これに限ったものではない。例えば、移動地点履歴データは、自車が上記地点に到着した到着回数（訪問回数）、及び、自車が高速道路を利用した利用回数などを含んでいてもよい。
【００１６】
なお、ここでは説明を簡単にするため、通過回数などをカウントする構成要素の図示及び説明は省略している。また、地点履歴データは、移動地点履歴データに限ったものではなく、これ以外の地点履歴データについては後述する。
【００１７】
図１に示される範囲履歴データ記憶部１３は、地点履歴データ記憶部１２と同様の記憶装置から構成されており、地点履歴データ記憶部１２と同様の履歴データ記憶している。ただし、地点履歴データ記憶部１２が地点履歴データ（地点に関する履歴データ）を記憶していたのに対し、範囲履歴データ記憶部１３は、範囲履歴データ（範囲に関する履歴データ）を記憶している。すなわち、範囲履歴データ記憶部１３（履歴データ取得部）は、上述した移動地点履歴データなどの予め定められた地点を、予め定められた範囲に置き換えた移動範囲履歴データなどを記憶している。
【００１８】
図３は、移動範囲履歴データの一例を示す図である。図３に示される例では、移動範囲履歴データは、地図上の予め定められた範囲（２組の緯度及び経度によって示される２つの地点を対角線とする矩形の範囲）と、自車が当該範囲を走行（移動）した時間を累積した累積走行時間と、自車が当該範囲を走行（移動）した距離を累積した累積走行距離と、自車が当該範囲を通過（移動）した通過回数とを含んでいる。なお、図３に示される範囲には、緯度及び経度で区切られた範囲が用いられているが、これに限ったものではなく、例えば、市区町村単位で区切られた範囲が用いられもよい。
【００１９】
図１に示されるランドマーク・登録データ記憶部１４（ランドマークデータ取得部）は、地点履歴データ記憶部１２と同様の記憶装置から構成されており、地図上の予め定められた地点または範囲であるランドマークに関するランドマークデータを記憶（取得）している。
【００２０】
図４は、ランドマークデータの一例を示す図である。図４に示される例では、ランドマークデータは、ランドマーク名と、ランドマークが位置する地点（緯度及び経度）と、知名度とを含んでいる。なお、知名度とは、一般的に人々に知られている度合であり、ここでは知名度が高いほど、一般的に人々に知られている可能性が高いものとする。
【００２１】
知名度は、ランドマーク・登録データ記憶部１４に予め記憶されていてもよいし、ＤＳＲＣ（Dedicate Short Range Communication）やサーバとの通信などにより外部から取得されてもよい。
【００２２】
また、ランドマークデータは、ユーザによって書き換え可能（差し替え可能）であってもよく、例えば、ユーザの自宅などもランドマークとしてランドマークデータに含めることが可能である。すなわち、ランドマーク・登録データ記憶部１４（登録データ取得部）は、ユーザによって登録された地点（例えば緯度及び経度）または範囲（例えば２組の緯度及び経度によって示される矩形範囲）を示す登録データも記憶（取得）している。
【００２３】
図１に示される特徴地物データ記憶部１５（特徴地物データ取得部）は、地点履歴データ記憶部１２と同様の記憶装置から構成されており、地図上の予め定められた地点または範囲である特徴地物（特徴的な地物）に関する特徴地物データを記憶（取得）している。
【００２４】
図５は、特徴地物データの一例を示す図である。図５に示される例では、特徴地物データは、特徴地物の種別（例えば主要交差点、道路の形状、インターチェンジ及びサービスエリアなどの道路の種別、例えば踏切及び駅などの線路の種別、例えば分岐、合流及び橋などの河川の種別、例えば湾岸の形状などの湾岸の種別）と、特徴地物の範囲（予め定められた緯度と、経度と、緯度方向の幅を示す緯度Δと、経度方向の幅を示す経度Δとによって規定される矩形の範囲）とを含んでいる。なお、図５に示される範囲には、矩形の範囲が用いられているが、これに限ったものではなく、例えば、点列が用いられてもよい。
【００２５】
表示装置１６は、例えば液晶ディスプレイ及びリアプロジェクションディスプレイなどから構成され、運転者などのユーザに各種情報を表示する。ここでは、ナビゲーション装置１は、表示装置１６の表示領域内に地図領域を表示させる。なお、表示領域には、例えば、表示装置１６の表示画面の全体、または、表示画面の予め定められた一部が適用される。
【００２６】
入力装置１７は、例えばマウス、タッチパッド、ジョイスティック、十字キー（押しボタン）、ダイヤル、及び、表示装置１６と一体化されたタッチパネルなどから構成され、ユーザからスクロール操作などの様々な操作を受け付ける。
【００２７】
例えば、入力装置１７がタッチパネルによって構成されている場合には、フリック操作（指などの指示体がタッチパネルを擦る操作）やタッチ操作（指示体がタッチパネルをタッチする操作）が、上述のスクロール操作として入力装置１７に受け付けられる。例えば、フリック操作をスクロール操作として入力装置１７にて受け付ける構成においては、ナビゲーション装置１は、フリック量をスクロール量として取得し、フリック方向をスクロール方向として取得する。一方、タッチ操作をスクロール操作として入力装置１７にて受け付ける構成においては、ナビゲーション装置１は、タッチし続けられた時間に比例する量をスクロール量として取得し、表示装置１６の画面中心からタッチ位置に向かう方向をスクロール方向として取得する。なお、入力装置１７がタッチパッドによって構成されている場合には、タッチパネルと同様にスクロール量及びスクロール方向を取得してもよい。
【００２８】
また、例えば、入力装置１７がジョイスティックによって構成されている場合には、ナビゲーション装置１は、ジョイスティックを傾けた角度に比例する量をスクロール量として取得し、ジョイスティックを傾けた方向をスクロール方向として取得する。また、例えば、入力装置１７が十字ボタンによって構成されている場合には、ナビゲーション装置１は、十字ボタンが押し続けられた時間に比例する量をスクロール量として取得し、十字ボタンの４方向のうち押された方向をスクロール方向として取得する。
【００２９】
なお、ナビゲーション装置１は、入力装置１７で受け付けたスクロール操作に応じたスクロール方向及びスクロール量に基づいて、表示装置１６の表示領域内に表示される地図領域をスクロールすることが可能であるものとする。
【００３０】
本実施の形態１では、入力装置１７は、上述のスクロール操作を受け付けるだけでなく、スクロール操作前、または、スクロール操作と同時に実行可能なジャンプ操作（第１操作）を受け付け可能に構成されている。
【００３１】
ジャンプ操作判断部１８（操作判断部）は、ジャンプ操作を入力装置１７にて受け付けたか否かを判断する。例えば、入力装置１７がフリック操作をスクロール操作として受け付ける構成では、ジャンプ操作判断部１８は、フリック量が予め定められた閾値を超えたと判断した場合に、ジャンプ操作を受け付けたと判断する。また、例えば、入力装置１７がタッチ操作をスクロール操作として受け付ける構成では、ジャンプ操作判断部１８は、タッチし続けられた時間が予め定められた閾値を超えたと判断した場合に、ジャンプ操作を受け付けたと判断する。
【００３２】
また、例えば、入力装置１７にジョイスティックが用いられた構成では、ジャンプ操作判断部１８は、ジョイスティックを傾けた角度が予め定められた閾値を超えたと判断した場合に、ジャンプ操作を受け付けたと判断する。また、例えば、入力装置１７に十字ボタンが用いられた構成では、ジャンプ操作判断部１８は、十字ボタンが押し続けられた時間が予め定められた閾値を超えたと判断した場合に、ジャンプ操作を受け付けたと判断する。
【００３３】
また、上記に限らず、例えば、ジャンプ操作判断部１８は、スクロール操作前、または、スクロール操作と同時に、予め定められたボタンに対する操作を入力装置１７にて受け付けた場合に、ジャンプ操作を受け付けたと判断してもよい。
【００３４】
有意対象抽出部１９は、地図上の予め定められた地点または範囲のうち、ユーザにとって有意と推定される地点または範囲（例えばユーザによく利用されて馴染みのある地点または範囲）を、有意対象として抽出し、当該有意対象を表示制御部２０に出力する。有意対象抽出部１９は、ここでは、図３に示した移動範囲履歴データ（履歴データ）と、図４に示したランドマークデータと、図５に示した特徴地物データとに基づいて、有意対象を抽出する。なお、有意対象抽出部１９の詳細については、後でフローチャートを用いて説明する。有意対象抽出部１９は、抽出した有意対象を表示制御部２０に出力する。
【００３５】
表示制御部２０は、地図データ記憶部１１に記憶されている地図データと、入力装置１７で受け付けたスクロール操作と、ジャンプ操作判断部１８の判断結果と、有意対象抽出部１９で抽出された有意対象とに基づいて、表示装置１６の表示を制御する。なお、表示制御部２０の詳細については後でフローチャートを用いて説明し、ここでは簡単に説明する。
【００３６】
表示制御部２０は、ジャンプ操作判断部１８によってジャンプ操作を受け付けたと判断された場合には、当該ジャンプ操作後またはそれと同時のスクロール操作が実行された時点において表示領域内に表示されていた地図領域である第１領域を特定する。なお、以下の説明では、当該第１領域を「ジャンプ前領域」と記す。
【００３７】
また、表示制御部２０は、上述のスクロール操作のスクロール量に関わらず、ジャンプ前領域から上述のスクロール操作のスクロール方向を含む方向に位置し、かつ有意対象を含む地図領域である第２領域を、表示装置１６に表示させる。なお、以下の説明では、当該第２領域を、「有意対象包含領域」と記す。また、以下の説明では、ここに記したスクロール方向を含む方向が、スクロール方向だけでなく、当該スクロール方向とほぼ平行な方向（具体例については後述する）を含むものとして説明する。ただし、もちろんスクロール方向を含む方向は、スクロール方向だけを含むものであってもよい。
【００３８】
また、表示制御部２０は、スクロール操作のスクロール量に関わらずジャンプ前領域から有意対象包含領域までフレーム単位でスクロールする自動スクロール（以下「ジャンプスクロール」と記す）を行うことによって、有意対象包含領域を表示装置１６に表示させる。本実施の形態１では、表示制御部２０は、このようなジャンプスクロールを行うことができるように、スクロール間隔算出部２０ａと、表示情報生成部２０ｂとを備えて構成されている。
【００３９】
スクロール間隔算出部２０ａは、ジャンプスクロールにおけるフレーム単位当たりの地図領域のスクロール間隔を算出する。表示情報生成部２０ｂは、地図データ記憶部１１に記憶されている地図データと、スクロール間隔算出部２０ａで算出されたスクロール間隔とに基づいて、ジャンプスクロールにおいて表示装置１６の表示領域内に表示される地図領域を生成する。
【００４０】
＜有意対象抽出部１９の動作＞
図６は、本実施の形態１に係る有意対象抽出部１９の動作を示すフローチャートである。以下、図６を用いて、この動作について説明する。なお、図６に示す動作は、定期的に行われてもよいし、ジャンプ操作及びスクロール操作を受け付けた場合に行われてもよい。
【００４１】
まず、ステップＳ１にて、有意対象抽出部１９は、移動範囲履歴データを範囲履歴データ記憶部１３から取得する。
【００４２】
ステップＳ２にて、有意対象抽出部１９は、取得した移動範囲履歴データに含まれる累積走行時間、累積走行距離、及び、通過回数に基づいて、移動範囲履歴データの範囲のそれぞれに対するユーザの有意度を算出する。
【００４３】
ここで、範囲に対するユーザの有意度とは、ユーザにとって有意な範囲である可能性を示す度合である。ここでは、有意度が高い範囲ほど、当該範囲がユーザにとって有意である可能性が高いものとし、有意対象抽出部１９は、累積走行時間が長い範囲には高い有意度を算出し、累積走行距離が長い範囲には高い有意度を算出し、通過回数が大きい範囲には高い有意度を算出するものとする。なお、有意度の算出には、累積走行時間、累積走行距離及び通過回数と有意度とが対応付けられたテーブルが用いられてもよいし、累積走行時間、累積走行距離及び通過回数を変数とする有意度の関数が用いられてもよい。
【００４４】
ステップＳ３にて、有意対象抽出部１９は、移動範囲履歴データに含まれる複数の範囲のうち、有意度が予め定められた閾値以上である範囲を、有意対象とすべき範囲として抽出する。また、有意対象抽出部１９は、当該抽出した範囲から、有意度に応じた距離内に位置する範囲も、有意対象とすべき範囲として抽出する。ここで、当該距離は、有意度が高くなるほど長くなるものとする。すなわち、本実施の形態１では、有意度が高いほど、有意対象とすべき範囲（ユーザの生活圏などに対応する範囲）が広がるように構成されている。
【００４５】
ステップＳ４にて、有意対象抽出部１９は、ランドマークデータと、ステップＳ３で抽出した有意対象とすべき範囲とに基づいて、当該範囲内にランドマークが存在するか否かを判断する。すなわち、有意対象抽出部１９は、有意対象とすべき範囲に対応するランドマークが存在するか否かを判断する。存在すると判断した場合にはステップＳ５に進み、存在しないと判断した場合にはステップＳ６に進む。
【００４６】
ステップＳ５にて、有意対象抽出部１９は、有意対象とすべき範囲内に存在したランドマークを、有意対象として抽出する。なお、有意対象抽出部１９は、有意対象とすべき範囲内に存在した全てのランドマークを有意対象として抽出しなくてもよく、例えば、知名度（図４）が高い上位Ｎ（Ｎ：予め定められた自然数）個のランドマークを、有意対象として抽出してもよい。ステップＳ５が終了すると、ステップＳ６に進む。
【００４７】
ステップＳ６にて、有意対象抽出部１９は、特徴地物データと、ステップＳ３で抽出した有意対象とすべき範囲とに基づいて、当該範囲内に特徴地物が存在するか否かを判断する。すなわち、有意対象抽出部１９は、有意対象とすべき範囲に対応する特徴地物が存在するか否かを判断する。存在すると判断した場合にはステップＳ７に進み、存在しないと判断した場合にはステップＳ８に進む。
【００４８】
ステップＳ７にて、有意対象抽出部１９は、有意対象とすべき範囲内に存在した特徴地物を、有意対象として抽出する。
【００４９】
ステップＳ８にて、有意対象抽出部１９は、抽出した有意対象を表示制御部２０にて適宜使用できるように、当該有意対象を示すリストを作成する。その後、図６に示される動作が終了する。
【００５０】
＜表示制御部２０の動作＞
図７は、本実施の形態１に係る表示制御部２０（スクロール間隔算出部２０ａ及び表示情報生成部２０ｂ）の動作を示すフローチャートである。以下、図７を用いて、この動作について説明する。
【００５１】
まず、ステップＳ１１にて、表示制御部２０は、ジャンプ操作判断部１８によってジャンプ操作を受け付けたと判断されたか否かを確認するとともに、ジャンプ操作後またはそれと同時に実行されたスクロール操作を入力装置１７にて受け付けたか否かを判断する。ジャンプ操作判断部１８によってジャンプ操作を受け付けたと判断されており、かつ、当該スクロール操作を受け付けたと判断した場合にはステップＳ１４に進み、そうでない場合にはステップＳ１２に進む。
【００５２】
ステップＳ１２にて、表示制御部２０は、スクロール操作を入力装置１７にて受け付けたか否かを判断する。スクロール操作を受け付けたと判断した場合にはステップＳ１３に進み、そうでない場合にはステップＳ１１に戻る。
【００５３】
ステップＳ１３にて、表示制御部２０は、通常のスクロール操作を行う。すなわち、スクロール操作に応じたスクロール方向及びスクロール量に基づいて、表示装置１６の表示領域内に表示される地図領域をスクロールする。その後、ステップＳ１１に戻る。
【００５４】
ステップＳ１４にて、表示制御部２０は、上述のスクロール操作が実行された時点に表示領域内に表示されていた地図領域、すなわちジャンプ前領域を特定する。
【００５５】
ステップＳ１５にて、表示制御部２０は、スクロール操作のスクロール量に関わらず、ジャンプ前領域から上述のスクロール操作のスクロール方向を含む方向に位置し、かつ、有意対象を含む地図領域、すなわち有意対象包含領域が存在するか否かを判断する。
【００５６】
図８は、ステップＳ１１のスクロール操作としてフリック操作を受け付けたときの動作を示す図である。ここでは、フリック操作のフリック方向は、スクロール操作のスクロール方向５１として用いられる。
【００５７】
この場合において、ステップＳ１４が行われると、表示制御部２０は、表示装置１６の表示領域５２内に表示される地図領域を、ジャンプ前領域５３として特定する。それからステップＳ１５にて、表示制御部２０は、スクロール方向５１に対して両側に開くように傾けられた二つの方向５１ａを規定する。そして、表示制御部２０は、ジャンプ前領域５３から一方の方向５１ａに延在する線と、ジャンプ前領域５３から他方の方向５１ａに延在する線との間に挟まれる領域に、スクロール量に関わらず有意対象が存在するか否かを判断する。
【００５８】
すなわち、表示制御部２０は、スクロール操作のスクロール方向５１を含む方向（一方の方向５１ａと他方の方向５１ａとの間の方向）に位置する有意対象が存在するか否かを判断する。表示制御部２０は、有意対象が存在すると判断した場合には有意対象包含領域が存在すると判断してステップＳ１６に進み、そうでない場合には有意対象包含領域が存在しないと判断してステップＳ１１に戻る。なお、上述のようにスクロール操作がフリック操作である場合には、スクロール方向５１と二つの方向５１ａのそれぞれとがなす角度は１０度が好ましく、５度がより好ましい。
【００５９】
図９は、ステップＳ１１のスクロール操作としてタッチ操作を受け付けたときの動作を示す図である。ここでは、表示領域５２の中心からタッチ位置に向かう方向は、スクロール操作のスクロール方向５１として用いられる。
【００６０】
この場合において、ステップＳ１４が行われると、表示制御部２０は、表示装置１６の表示領域５２内に表示される地図領域を、ジャンプ前領域５３として特定する。それからステップＳ１５にて、表示制御部２０は、スクロール方向５１に対して両側に開くように傾けられた二つの方向５１ａを規定する。そして、表示制御部２０は、ジャンプ前領域５３から一方の方向５１ａに延在する線と、ジャンプ前領域５３から他方の方向５１ａに延在する線との間に挟まれる領域に、スクロール量に関わらず有意対象が存在するか否かを判断する。
【００６１】
すなわち、表示制御部２０は、スクロール操作のスクロール方向５１を含む方向（一方の方向５１ａと他方の方向５１ａとの間の方向）に位置する有意対象が存在するか否かを判断する。表示制御部２０は、有意対象が存在すると判断した場合には有意対象包含領域が存在すると判断してステップＳ１６に進み、そうでない場合には有意対象包含領域が存在しないと判断してステップＳ１１に戻る。なお、上述のようにスクロール操作がタッチ操作である場合には、スクロール方向５１と二つの方向５１ａのそれぞれとがなす角度は３０度が好ましく、２０度がより好ましい。
【００６２】
図７に戻って、ステップＳ１５後のステップＳ１６からステップＳ１９までの工程において、表示制御部２０は、上述したフレーム単位のジャンプスクロールを行うことによって、有意対象包含領域を表示装置１６に表示させる。
【００６３】
具体的には、ステップＳ１６にて、スクロール間隔算出部２０ａは、ジャンプスクロールにおいてフレーム単位当たりに地図領域をスクロールすべきスクロール間隔を算出する。例えば、ジャンプ前領域から有意対象包含領域までのスクロールに宛がわれた時間が５００ｍｓｅｃであり、１秒当たりに処理されるフレーム数が３０ｆｐｓである場合には、ジャンプ前領域から有意対象包含領域までスクロールするまでに表示領域内に表示されるフレームの数（地図領域の数）は、１５（＝０．５×３０）となる。この場合に、スクロール間隔算出部２０ａは、ジャンプ前領域から有意対象包含領域までの地図上の距離をフレームの数（ここでは１５）で除算して得た値を、ジャンプスクロールにおけるフレーム単位当たりの地図領域のスクロール間隔として算出する。
【００６４】
ステップＳ１７にて、表示情報生成部２０ｂは、地図データ記憶部１１に記憶されている地図データと、スクロール間隔算出部２０ａで算出されたスクロール間隔とに基づいて、ジャンプスクロールにおいて表示領域内に表示される地図領域を生成する。ここでは、ステップＳ１７が１回行われると、表示情報生成部２０ｂは、ジャンプスクロール中のフレームの１つを生成する。
【００６５】
ステップＳ１８にて、表示制御部２０は、表示情報生成部２０ｂで生成された地図領域を、表示装置１６の表示領域内に表示する。
【００６６】
ステップＳ１９にて、表示制御部２０は、表示装置１６の表示領域内に有意対象包含領域が表示されたか否かを判断する。表示されたと判断した場合にはステップＳ１１に戻り、そうでない場合にはステップＳ１７に戻る。
【００６７】
図１０は、本実施の形態１に係る表示領域５２の表示例を示す図であり、具体的にはステップＳ１９にて、表示領域５２内に表示されたと判断された有意対象包含領域の一例を示す図である。この図１０に示されるように、表示制御部２０の制御により、ステップＳ１５にて存在すると判断された有意対象５４を含む有意対象包含領域５５が表示領域５２内に表示されている。
【００６８】
なお、図１０に示されるように、表示制御部２０は、表示領域５２内に有意対象包含領域５５を表示させる場合に、当該有意対象包含領域５５に含まれる有意対象５４の名前を表示装置１６に表示させる。これにより、ユーザは有意対象５４を容易に認識することができる。
【００６９】
また、表示制御部２０は、表示領域５２内に有意対象包含領域５５を表示させる場合に、例えば、当該有意対象包含領域５５に含まれる有意対象５４を拡大したり、枠で囲ったりすることによって、有意対象５４を識別可能に表示装置１６に表示させる。これにより、ユーザは有意対象５４を容易に視認することができる。ただし、有意対象５４を識別可能に表示させる表示態様は、上記に限ったものではなく、例えば、有意対象に他と異なる色及び模様などを付すなどの表示態様であってもよい。
【００７０】
＜効果＞
以上のように、本実施の形態１に係るナビゲーション装置１は、ジャンプ操作を受け付けたと判断した場合には、スクロール量に関わらず、ジャンプ前領域からスクロール方向を含む方向に位置する有意対象包含領域を、表示装置１６に表示させる。これにより、ユーザは、所望の方向の有意対象を容易に表示させることができる。また、スクロール操作を繰り返し行わなくても有意対象が表示されるので、ユーザの手間を軽減することができる。
【００７１】
また、本実施の形態１では、ジャンプスクロールにおけるフレーム単位当たりの地図領域のスクロール間隔を算出する。これにより、ジャンプスクロール中には、ジャンプ前領域から有意対象包含領域まで順に地図領域が推移していくので、ユーザは、どの方向にジャンプスクロールが行われているかを視認することができる。また、例えば、当該スクロール間隔を、通常のスクロール操作において行われるスクロール間隔よりも長くすることにより、有意対象包含領域を素早く表示することができる。
【００７２】
また、本実施の形態１では、有意対象抽出部１９は、移動範囲履歴データの通過回数など（履歴データに含まれる自車が移動した回数）に基づいて有意度を算出し、有意度が予め定められた閾値以上である範囲を、有意対象とすべき範囲として抽出する。これにより、適切な地点または範囲を有意対象として抽出することができる。
【００７３】
さらに、本実施の形態１では、有意度が予め定められた閾値以上である範囲を有意対象とすべき範囲として抽出するだけでなく、当該抽出した範囲から有意度に応じた距離内に位置する範囲も、有意対象とすべき範囲として抽出する。したがって、有意度が高いほど、有意対象とすべき範囲を広げることができるので、適切な地点または範囲を有意対象として抽出することができる。
【００７４】
＜実施の形態１の変形例１＞
ここでは、有意対象抽出部１９による有意対象の抽出に関する変形例について説明する。
【００７５】
以上では、範囲履歴データ（地図上の予め定められた範囲における、予め定められた動作に関する履歴データ）の一例として、移動範囲履歴データ（予め定められた動作に、自車の移動が適用された範囲履歴データ）を説明した。しかし、範囲履歴データは、移動範囲履歴データに限ったものではなく、検索範囲履歴データ（予め定められた動作に、ユーザによる検索が適用された範囲履歴データ）などであってもよい。
【００７６】
そして、有意対象抽出部１９は、移動地点履歴データと同様に、検索範囲履歴データに基づいて有意度を算出してもよい。例えば、検索範囲履歴データが、地図上の予め定められた範囲と、ユーザが当該範囲を検索した回数（検索回数）とを含む場合には、有意対象抽出部１９は、検索範囲履歴データに含まれる検索回数（予め定められた動作が行われた回数）に基づいて、検索範囲履歴データの範囲のそれぞれに対する有意度を算出してもよい。
【００７７】
また、以上の説明では、有意対象抽出部１９は、移動範囲履歴データに含まれる通過回数に基づいて有意度を算出した。しかしこれに限ったものではなく、例えば、移動範囲履歴データが、自車が範囲に到着した到着回数（訪問回数）、及び、自車が高速道路を利用した利用回数などを含む場合には、有意対象抽出部１９は、通過回数と同様に、到着回数や高速道路の利用回数に基づいて有意度を算出してもよい。
【００７８】
また、有意対象抽出部１９は、到着範囲及び通過範囲などの種類（自車が移動した範囲の種類）に基づいて有意度を算出してもよい。例えば、有意対象抽出部１９は、到着範囲に対しては高い有意度を算出し、通過範囲に対しては低い有意度を算出するものであってもよい。これにより、適切な範囲を有意対象として抽出することができる。
【００７９】
また、以上の説明では、移動範囲履歴データなどの範囲履歴データを用いた動作について説明した。しかしこれに限ったものではなく、移動範囲履歴データなどの範囲履歴データに代えて、移動地点履歴データなどの地点履歴データを用いた場合にも、上述と同様の動作を行うことができる。
【００８０】
また、以上の説明では、有意対象抽出部１９は、移動範囲履歴データ、ランドマークデータ及び特徴地物データ（範囲履歴データ記憶部１３、ランドマーク・登録データ記憶部１４及び特徴地物データ記憶部１５に記憶されたデータ）に基づいて、有意対象を抽出したが、これに限ったものではない。
【００８１】
例えば、有意対象抽出部１９は、移動地点履歴データの予め定められた地点のうち、予め定められた条件を満たす地点（例えば、通過回数が予め定められた回数以上の地点）を、有意対象として抽出してもよい。また、例えば、有意対象抽出部１９は、移動範囲履歴データの予め定められた範囲のうち、予め定められた条件を満たす範囲（例えば、累積走行距離が予め定められた距離以上の範囲）を、有意対象として抽出してもよい。
【００８２】
また、例えば、有意対象抽出部１９は、ランドマークデータの予め定められた地点または範囲のうち、予め定められた条件を満たす地点または範囲（例えば、知名度が予め定められた閾値以上の地点または範囲）を、有意対象として抽出してもよい。また、例えば、有意対象抽出部１９は、特徴地物データの予め定められた地点または範囲のうち、予め定められた条件を満たす地点または範囲（例えば、予め定められた特徴地物の種別の地点または範囲）を、有意対象として抽出してもよい。
【００８３】
すなわち、有意対象抽出部１９は、地点履歴データ記憶部１２、範囲履歴データ記憶部１３、ランドマーク・登録データ記憶部１４及び特徴地物データ記憶部１５の少なくともいずれか１つに記憶されたデータの、予め定められた地点または範囲のうち、予め定められた条件を満たす地点または範囲を、有意対象として抽出してもよい。このように構成した場合であっても、適切な地点または範囲を有意対象として抽出することができる。
【００８４】
また、例えば、有意対象抽出部１９は、ユーザによって登録された地点または範囲（すなわちランドマーク・登録データ記憶部１４に記憶されている登録データの地点または範囲）をそのまま有意対象として抽出してもよい。これにより、ユーザは所望の地点または範囲を有意対象に適用することができる。
【００８５】
また、以上の説明では、移動地点履歴データ（図２）は、地点と通過回数とを含むとしたが、地点と通過回数との関係が抽出できるものであればこれに限ったものではない。例えば、移動地点履歴データは、通過回数を含む代わりに、現時点から一定期間（例えば１〜５年）だけ過去に遡った時点までの、自車の通過ごとの通過時刻（通過日時）の履歴を含んでもよい。このように構成した場合には、有意度を算出する際に、移動地点履歴データに含まれる通過時刻（通過日時）の個数をカウントすることにより、上記一定期間に自車が通過（移動）した回数を取得することができる。
【００８６】
＜実施の形態１の変形例２＞
ここでは、表示制御部２０による表示制御に関する変形例について説明する。
【００８７】
図１１は、本変形例２に係る表示領域５２の、ジャンプスクロール途中の表示例を示す図である。図１１に示されるように、表示制御部２０は、ジャンプスクロール途中に、当該ジャンプスクロールに関する情報（例えば、有意対象の名称を示す文字５８（ここでは自宅）、及び、ジャンプスクロールの方向５９）を表示装置１６に表示させるように構成されてもよい。このような構成によれば、ユーザは、ジャンプスクロールがどこに向かって進行しているかを視認することができる。なお、図１１の表示の際に、ジャンプスクロールの方向５９と逆向きのスクロール操作が行われた場合には、表示制御部２０は、ジャンプスクロールを停止してもよい。
【００８８】
図１２は、本変形例２に係る表示領域５２の、ジャンプスクロール途中の別の表示例を示す図である。具体的には、図１２（ａ）には、ジャンプ前領域５３（ジャンプスクロールの０フレーム目）が示され、図１２（ｂ）には、ジャンプ前領域５３と有意対象包含領域５５との間の地図領域６２（ジャンプスクロールの７フレーム目）が示されている。また、図１２（ｃ）には、地図領域６２の次に表示される地図領域６３（ジャンプスクロールの８フレーム目）が示され、図１２（ｄ）には、有意対象包含領域５５（ジャンプスクロールの１５フレーム目）が示されている。
【００８９】
ここで、ジャンプスクロールのスクロール間隔が長すぎる場合には、前後に表示される地図領域において、重複する領域が存在しなくなる。この場合には、前後の地図領域の関係が分かり難くいことから、ジャンプスクロールがどちらの方向に進行しているかが分かり難いものとなる。
【００９０】
このことを鑑みて、ここでは、表示制御部２０は、スクロール間隔算出部２０ａで算出されたスクロール間隔に基づいて、ジャンプスクロールの途中に表示領域５２内に表示される地図領域（ここでは地図領域６２，６３）の縮尺を変更するように構成されている。具体的には、表示制御部２０は、ジャンプスクロールの途中において前後に表示される二つの地図領域の一部が互いに重複するように、ジャンプスクロールの途中における地図領域の縮尺を小さくする。すなわち、ジャンプスクロールの途中に表示領域５２内に表示される地図領域を広くする。
【００９１】
例えば、表示制御部２０は、７フレーム目の地図領域６２全体のサイズのうち２０％の部分領域６２ａ（図１２（ｂ））と、８フレーム目の地図領域６３全体のサイズのうち２０％の部分領域６３ａ（図１２（ｃ））とが重複するように、地図領域６２，６３の縮尺を、ジャンプ前領域５３及び有意対象包含領域５５の縮尺よりも小さくしている。なお、スクロール間隔が長いほど、前後に表示される二つの地図領域の中心（図１２（ｂ）の中心６２ｂと図１２（ｃ）の中心６３ｂ）が離れる。このため、表示制御部２０は、スクロール間隔が長いほど、ジャンプスクロールの途中に表示領域５２内に表示される地図領域の縮尺を小さくするように構成される。
【００９２】
このような構成によれば、例えば、図１２（ｂ）の地図領域６２と、図１２（ｃ）の地図領域６３とがこの順に表示された場合には、ユーザは、互いに重複する部分領域６２ａ，６３ａの位置によって、ジャンプスクロールが左側から右側に進行していることや、ジャンプ前領域と有意対象包含領域との間の概ねの距離を知ることができる。
【００９３】
なお、以上の説明では、表示制御部２０は、スクロールを行うことによって、ジャンプ前領域と有意対象包含領域との間の地図領域も表示装置１６の表示領域内に表示させるように構成されていた。しかしこれに限ったものではなく、例えば、表示制御部２０は、スクロールを行わずに、ジャンプ前領域から有意対象包含領域に直接切り替えて表示されるように、表示装置１６の表示を制御してもよい。
【００９４】
＜実施の形態２＞
図１３は、本発明の実施の形態２に係るナビゲーション装置１の構成を示すブロック図である。なお、本実施の形態２に係るナビゲーション装置１において、実施の形態１で説明した構成要素と同一または類似するものについては同じ符号を付しており、以下においては異なる点を中心に説明する。
【００９５】
図１３に示すナビゲーション装置１は、図１に示した構成に、付加操作判断部２２をさらに備えて構成されている。なお、本実施の形態２では、入力装置１７は、上述のスクロール操作及びジャンプ操作を受け付けるだけでなく、スクロール操作前、または、スクロール操作と同時に実行可能な付加操作（第２操作）を受け付け可能に構成されている。
【００９６】
付加操作判断部２２（操作判断部）は、付加操作を入力装置１７にて受け付けたか否かを判断する。例えば、入力装置１７にタッチパネル及びタッチパッドが用いられた構成において、入力装置１７が、スクロール操作前の、シングルタップ操作（タッチパネルなどを１回つつく操作）やダブルタップ操作（タッチパネルなどを２回つつく操作）などを受け付けた場合に、付加操作判断部２２は付加操作を入力装置１７にて受け付けたと判断する。
【００９７】
図１４及び図１５は、本実施の形態２に係るナビゲーション装置２の動作を示す図である。具体的には、図１４及び図１５のそれぞれには、スクロール方向５１（ジャンプスクロールの方向）と、ジャンプ前領域５３と、ジャンプ前領域５３に最も近い有意対象５４ａ（５４）を含む有意対象包含領域５５ａ（５５）と、その次にジャンプ前領域５３に近い有意対象５４ｂ（５４）を含む有意対象包含領域５５ｂ（５５）とが示されている。すなわち、図１４及び図１５には、ジャンプ前領域５３からスクロール方向５１を含む方向に位置する有意対象包含領域が複数（ここてでは二つ）存在する場合が示されている。
【００９８】
本実施の形態２では、表示制御部２０は、ジャンプ前領域５３を表示領域５２内に表示している際に、付加操作判断部２２によってシングルタップ操作を付加操作として受け付けたと判断されてからジャンプスクロールを行う場合には、図１４に示すように、上述の有意対象包含領域５５ａを表示領域５２内に表示させる。一方、表示制御部２０は、ジャンプ前領域５３を表示領域５２内に表示している際に、付加操作判断部２２によってダブルタップ操作を付加操作として受け付けたと判断されてからジャンプスクロールを行う場合には、図１５に示すように、上述の有意対象包含領域５５ｂを、表示領域５２内に表示させる。すなわち、表示制御部２０は、付加操作に基づいて、表示領域内に表示する有意対象包含領域を別の有意対象包含領域に変更する。
【００９９】
＜効果＞
以上のように、本実施の形態２に係るナビゲーション装置１は、付加操作に基づいて、表示領域内に表示する有意対象包含領域を別の有意対象包含領域に変更する。したがって、ユーザは、付加操作を実行することにより、所望の有意対象を含む有意対象包含領域を表示させることができる。
【０１００】
なお、以上の説明では、付加操作はタップ操作であるものとしたが、これに限ったものではない。例えば、入力装置１７が「１つ目」、「２つ目」、…と記されたボタンを有する構成において、付加操作判断部２２は、これらボタンに対する操作が受け付けられた場合に、付加操作を受け付けたと判断してもよい。この場合、表示制御部２０は、「１つ目」と記されたボタンに対する操作を付加操作として受け付けたと判断されてからジャンプスクロールを行う場合には、図１４に示したように有意対象包含領域５５ａを表示領域５２内に表示させてもよい。そして、表示制御部２０は、「２つ目」と記されたボタンに対する操作を付加操作として受け付けたと判断されてからジャンプスクロールを行う場合には、図１５に示したように有意対象包含領域５５ｂを表示領域５２内に表示させてもよい。
【０１０１】
＜実施の形態２の変形例＞
以上の実施の形態２では、表示制御部２０が、付加操作に基づいて有意対象包含領域を変更した。しかし、付加操作の利用はこれに限ったものではなく、有意対象抽出部１９における有意対象の抽出にも用いられてもよい。すなわち、有意対象抽出部１９は、付加操作判断部２２によって付加操作を受け付けたと判断された場合に、付加操作に基づいて、有意対象を抽出する条件（予め定められた条件）を変更してもよい。
【０１０２】
例えば、有意対象抽出部１９は、シングルタップ操作を付加操作として受け付けたと判断されていた場合には、通過回数が例えば４回以上の範囲を有意対象として抽出し、シングルタップ操作を付加操作として受け付けたと判断されていた場合には、通過回数が例えば８回以上の範囲を有意対象として抽出してもよい。
【０１０３】
また、例えば、有意対象抽出部１９は、シングルタップ操作を付加操作として受け付けたと判断されていた場合には、交通施設に関する施設のみを有意対象として抽出し、ダブルタップ操作を付加操作として受け付けたと判断されていた場合には、飲食施設のみを有意対象として抽出してもよい。
【０１０４】
また、例えば、有意対象抽出部１９は、「交通施設」と記されたボタンに対する操作を付加操作として受け付けたと判断されていた場合には、交通施設に関する施設のみを有意対象として抽出し、「飲食施設」と記されたボタンに対する操作を付加操作として受け付けたと判断されていた場合には、飲食施設のみを有意対象として抽出してもよい。
【０１０５】
以上のように、本変形例に係るナビゲーション装置１は、付加操作に基づいて、有意対象を抽出する条件（予め定められた条件）を変更する。したがって、ユーザは、付加操作を実行することにより、所望の有意対象を含む有意対象包含領域を表示させることができる。
【０１０６】
＜実施の形態３＞
図１６は、本発明の実施の形態３に係るナビゲーション装置１の構成を示すブロック図である。なお、本実施の形態３に係るナビゲーション装置１において、実施の形態１で説明した構成要素と同一または類似するものについては同じ符号を付しており、以下においては異なる点を中心に説明する。
【０１０７】
図１６に示すナビゲーション装置１は、図１に示した構成に、表示判断部２５をさらに備えて構成されている。なお、本実施の形態３では、入力装置１７は、上述のスクロール操作及びジャンプ操作を受け付けるだけでなく、ユーザ操作を支援する情報（以下「操作支援情報」）を表示するための情報表示操作を受け付け可能に構成されている。
【０１０８】
表示判断部２５は、情報表示操作を入力装置１７にて受け付けたか否かを判断する。例えば、入力装置１７が、地図の設定画面などに表示される操作支援表示ボタンを有する構成において、表示判断部２５は、操作支援表示ボタンに対する操作が受け付けられた場合に、情報表示操作を受け付けたと判断してもよい。表示判断部２５は、その判断結果を有意対象抽出部１９及び表示制御部２０に出力する。
【０１０９】
有意対象抽出部１９は、情報表示操作を受け付けたという判断を表示判断部２５から受けた場合に、図６のフローチャートに示した動作を行うことによって、有意対象を抽出する。
【０１１０】
表示制御部２０は、情報表示操作を受け付けたという判断を表示判断部２５から受けた場合に、表示領域内に表示されている地図領域に含まれない有意対象（以下「非表示有意対象」）の中から、当該地図領域と当該非表示有意対象との間の距離に基づいて、予め定められた基準を満たす非表示有意対象を選択する。例えば、表示制御部２０は、表示領域内に表示されている地図領域との距離が短い上位Ｍ（Ｍ：予め定められた自然数）個の非表示有意対象を、地図領域の上下左右に関わらず選択する。そして、表示制御部２０は、選択した非表示有意対象への方向、及び、当該非表示有意対象の名称を表示装置１６に表示させる。
【０１１１】
図１７は、本実施の形態３に係る表示領域５２の表示例を示す図である。具体的には、図１７には、表示制御部２０が、情報表示操作を受け付けたという判断を表示判断部２５から受けた場合の表示例が示されている。図１７に示す例では、表示制御部２０が、表示領域５２内に表示されている地図領域との距離が短い上位２個の非表示有意対象５４ｃ，５４ｄを選択した場合が二点鎖線で示されている。そして、表示領域５２の上側に位置する非表示有意対象５４ｃへの方向６５ａ、及び、非表示有意対象５４ｃの名称（ここではＡ施設）が表示領域５２に表示されている。また、表示領域５２の左下側に位置する非表示有意対象５４ｄへの方向６５ｂ、及び、非表示有意対象５４ｄの名称（ここではＢ施設）が表示領域５２に表示されている。
【０１１２】
＜効果＞
以上のように、本実施の形態３に係るナビゲーション装置１は、非表示有意対象の中から、表示領域内に表示されている地図領域と、非表示有意対象との間の距離に基づいて、予め定められた基準を満たす非表示有意対象の方向、及び、当該非表示有意対象の名称を表示装置１６に表示させる。これにより、ユーザは、現在表示領域に表示されている地図領域のどの方向に、当該地図領域に近い有意対象が位置するかを知ることができる。
【０１１３】
なお、以上の説明では、表示制御部２０は、表示領域内に表示されている地図領域との距離が短い上位Ｍ（Ｍ：予め定められた自然数）個の非表示有意対象を、地図領域の上下左右に関わらず選択した。しかしこれに限ったものではなく、表示制御部２０は、表示領域内に表示されている地図領域との距離が最も短い非表示有意対象を、地図領域の八方（上、左上、左、左下、下、右下、右、右上）のそれぞれについて１つずつ選択するものであってもよい。
【０１１４】
＜表示制御装置をナビゲーション装置以外にも適用した変形例＞
以上で説明した表示制御装置は、車両に備え付けられたナビゲーション装置１だけでなく、車両に搭載可能な、ＰＮＤ（Portable Navigation Device）、及び、携帯端末（例えば携帯電話、スマートフォン、及びタブレットなど）、並びにサーバなどを適宜に組み合わせてシステムとして構築される表示制御装置にも適用することができる。この場合、以上で説明したナビゲーション装置１の各機能あるいは各構成要素は、前記システムを構築する各機器に分散して配置される。
【０１１５】
例えば、以上の説明では、表示制御装置を、ナビゲーション装置１に適用した構成について説明したが、これに限ったものではなく、ＰＮＤ、携帯端末、及び、サーバのいずれかに適用してもよい。
【０１１６】
また、以上では、地図データ取得部に、ナビゲーション装置１の外部から地図データを取得し、当該地図データを記憶する地図データ記憶部１１を適用した構成について説明した。しかし、地図データ取得部は、地図データを取得するものであれば、地図データ記憶部１１に限ったものではなく、例えば地図データを受信するように構成された通信部などであってもよい。また、例えば、表示制御装置をスマートフォンに適用する場合には、スマートフォンの構成要素のうち、地図データ記憶部１１と同等の記憶部などが、地図データ取得部に適用されてもよい。また、例えば、表示制御装置をサーバに適用する場合には、サーバの構成要素のうち、地図データ記憶部１１と同等の記憶部などが、地図データ取得部に適用されてもよい。なお、履歴データ取得部、ランドマークデータ取得部及び特徴地物データ取得部についても、地図データ取得部と同様の変形例を適用することができる。
【０１１７】
また、以上では、表示装置に、ナビゲーション装置１の表示装置１６を適用した構成について説明した。しかし、表示装置は、移動体とともに移動する表示装置であれば、ナビゲーション装置１の表示装置１６に限ったものではなく、例えば、スマートフォンの構成要素のうち、表示装置１６と同等の表示装置などが適用されてもよい。また、以上では、移動体が車両である場合について説明したが、これに限ったものではなく、移動体は、車両以外の移動手段や人であってもよい。
【０１１８】
なお、本発明は、その発明の範囲内において、各実施の形態及び各変形例を自由に組み合わせたり、各実施の形態及び各変形例を適宜、変形、省略したりすることが可能である。
【符号の説明】
【０１１９】
１  ナビゲーション装置、１１  地図データ記憶部、１２  地点履歴データ記憶部、１３  範囲履歴データ記憶部、１４  ランドマーク・登録データ記憶部、１５  特徴地物データ記憶部、１６  表示装置、１７  入力装置、１８  ジャンプ操作判断部、１９  有意対象抽出部、２０  表示制御部、２０ａ  スクロール間隔算出部、２０ｂ  表示情報生成部、２２  付加操作判断部、５１  スクロール方向、５２  表示領域、５３  ジャンプ前領域、５４  有意対象、５５  有意対象包含領域、６５ａ，６５ｂ  方向。
【図１】
2015034921.tif 000003
【図２】
2015034921.tif 000004
【図３】
2015034921.tif 000005
【図４】
2015034921.tif 000006
【図５】
2015034921.tif 000007
【図６】
2015034921.tif 000008
【図７】
2015034921.tif 000009
【図８】
2015034921.tif 000010
【図９】
2015034921.tif 000011
【図１０】
2015034921.tif 000012
【図１１】
2015034921.tif 000013
【図１２】
2015034921.tif 000014
【図１３】
2015034921.tif 000015
【図１４】
2015034921.tif 000016
【図１５】
2015034921.tif 000017
【図１６】
2015034921.tif 000018
【図１７】
2015034921.tif 000019